(57)【要約】【課題】バッテリの充電に関する不都合がより生じにくい映像表示制御装置、映像表示装置、および映像表示制御方法を得る。【解決手段】映像表示制御装置は、映像を表示する表示画面を有した映像表示部の電源となる電力を蓄えるバッテリの電力の検知結果を得る。また、映像表示制御装置は、映像表示部の電源が投入されている状態では外部電力によるバッテリの充電が行われず、映像表示部の電源が遮断されている状態で外部電力によるバッテリの充電が行われるよう、バッテリの充電を制御する。そして、映像表示制御装置は、検知結果がバッテリの電力が所定値と同じかあるいは所定値未満となったことを示す場合に、所定の情報を表示画面に表示させる。【選択図】図５
2012130194.tif 000002
【特許請求の範囲】
【請求項１】
映像を表示する表示画面を有した映像表示部の電源となる電力を蓄えるバッテリの電力の検知結果を得る電力検知部と、
前記映像表示部の電源が投入されている状態では外部電力による前記バッテリの充電が行われず、前記映像表示部の電源が遮断されている状態で外部電力による前記バッテリの充電が行われるよう、前記バッテリの充電を制御する充電制御部と、
前記検知結果が前記バッテリの電力が所定値と同じかあるいは前記所定値未満となったことを示す場合に、所定の情報を前記表示画面に表示させる表示制御部と、
を備えた映像表示制御装置。
【請求項２】
前記表示制御部は、前記検知結果が前記バッテリの電力が所定値と同じかあるいは前記所定値未満となったことを示すとともに前記映像表示部の電源が前記バッテリではなく外部電力である場合に、前記所定の情報を前記映像表示部の表示画面に表示させることを特徴とする請求項１に記載の映像表示制御装置。
【請求項３】
前記所定の情報は、前記バッテリの電力が不十分であることを示す情報であることを特徴とする請求項２に記載の映像表示制御装置。
【請求項４】
操作入力部の所定の操作に基づいて前記映像表示部の電源の投入および遮断を制御する電源制御部をさらに備え、
前記表示制御部は、前記映像表示部の表示画面に、前記所定の情報として、前記映像表示部の電源を遮断させる前記操作入力部の操作を促す情報を表示させることを特徴とする請求項２に記載の映像表示制御装置。
【請求項５】
操作入力部の所定の操作に基づいて前記映像表示部の電源の投入および遮断を制御する電源制御部をさらに備え、
前記表示制御部は、前記操作入力部の所定の操作に基づく前記電源制御部の制御によって前記映像表示部の電源が遮断される前に、前記映像表示部の表示画面に、前記所定の情報として、前記バッテリの充電を開始する旨を示す情報を表示させることを特徴とする請求項２に記載の映像表示制御装置。
【請求項６】
操作入力部の所定の操作に基づいて前記映像表示部の電源の投入および遮断を制御する電源制御部をさらに備え、
前記表示制御部は、前記操作入力部の所定の操作に基づく前記電源制御部の制御によって前記映像表示部の電源が遮断される前に、前記映像表示部の表示画面に、前記所定の情報として、外部電力の供給を遮断しないように注意する情報を表示させることを特徴とする請求項２に記載の映像表示制御装置。
【請求項７】
映像を表示する表示画面を有した映像表示部と、
前記映像表示部の電源となる電力を蓄えるバッテリの電力の検知するセンサと、
前記センサによる検知結果を得る電力検知部と、
供給された外部電力によって前記バッテリを充電する充電部と、
前記充電部が前記バッテリに充電するか否かを切り換える充電切換部と、
前記映像表示部の電源が投入されている状態では前記充電部による前記バッテリの充電が行われず、前記映像表示部の電源が遮断されている状態で前記充電部による前記バッテリの充電が行われるよう、前記充電切換部を制御する充電制御部と、
前記検知結果が前記バッテリの電力が所定値と同じかあるいは前記所定値未満となったことを示す場合に、所定の情報を前記表示画面に表示させる表示制御部と、
を備えた映像表示装置。
【請求項８】
前記表示画面を露出させる開口部が設けられ、前記映像表示部を収容した筐体をさらに備え、
前記バッテリが前記筐体に一体的に設けられたことを特徴とする請求項７に記載の映像表示装置。
【請求項９】
映像を表示する表示画面を有した映像表示部の電源となる電力を蓄えるバッテリの電力を検知するステップと、
前記映像表示部の電源が投入されている状態では外部電力による前記バッテリの充電を行わず、前記映像表示部の電源が遮断されている状態で外部電力による前記バッテリの充電を行うよう、前記バッテリに対する充電を切り換えるステップと、
前記バッテリの電力を検知するステップで、前記バッテリの電力が所定値と同じかあるいは前記所定値未満となったことが検知された場合に、所定の情報を前記表示画面に表示させるステップと、
を備えた映像表示制御方法。
【発明の詳細な説明】
【技術分野】
【０００１】
本発明の実施形態は、映像表示制御装置、映像表示装置、および映像表示制御方法に関する。
【背景技術】
【０００２】
従来、バッテリおよび外部電力のいずれかを電源として動作することが可能な装置が知られている。また、この種の装置として、外部電力での動作中に、バッテリの電圧を検知して充電する装置が知られている。
【先行技術文献】
【特許文献】
【０００３】
【特許文献１】特開２００５−７３４９８号公報
【発明の概要】
【発明が解決しようとする課題】
【０００４】
しかしながら、外部電力での動作中にバッテリを充電する場合、装置の筐体内の温度が上昇する等の不都合が生じる虞があった。
【０００５】
そこで、本発明の実施形態は、バッテリの充電に関する不都合がより生じにくい映像表示制御装置、映像表示装置、および映像表示制御方法を得ることを目的の一つとする。
【課題を解決するための手段】
【０００６】
本発明の実施形態にかかる映像表示制御装置は、映像を表示する表示画面を有した映像表示部の電源となる電力を蓄えるバッテリの電力の検知結果を得る電力検知部を備える。また、映像表示制御装置は、前記映像表示部の電源が投入されている状態では外部電力による前記バッテリの充電が行われず、前記映像表示部の電源が遮断されている状態で外部電力による前記バッテリの充電が行われるよう、前記バッテリの充電を制御する充電制御部を備える。さらに、映像表示制御装置は、前記検知結果が前記バッテリの電力が所定値と同じかあるいは前記所定値未満となったことを示す場合に、所定の情報を前記表示画面に表示させる表示制御部を備える。
【図面の簡単な説明】
【０００７】
【図１】図１は、実施形態にかかる映像表示装置の一例を示す正面図である。
【図２】図２は、実施形態にかかる映像表示装置の一例を示す模式的なブロック図である。
【図３】図３は、実施形態にかかる映像表示装置の電源回路の一例を示す模式的なブロック図である。
【図４】図４は、実施形態にかかる映像表示装置の制御部の一例を示す模式的なブロック図である。
【図５】図５は、実施形態にかかる映像表示装置の動作の一例を示すフローチャートである。
【図６】図６は、実施形態にかかる映像表示装置の表示画面の一例を示す模式図である。
【図７】図７は、実施形態にかかる映像表示装置の表示画面の別の一例を示す模式図である。
【図８】図８は、実施形態にかかる映像表示装置の表示画面のさらに別の一例を示す模式図である。
【図９】図９は、実施形態にかかる映像表示装置の表示画面のさらに別の一例を示す模式図である。
【発明を実施するための形態】
【０００８】
図１に例示されるように、例えば、テレビジョン受像機として構成される映像表示装置（映像表示制御装置）１は、台部２と、この台部２に支持された本体部３とを備えている。本体部３の筐体３ａの前面には、矩形状の開口部３ｂが設けられており、この開口部３ｂから、筐体３ａ内に収容された映像表示部１０６の表示画面４が露出している。映像表示部１０６は、例えば、液晶ディスプレイ（ＬＣＤ：liquid crystal display）や、有機ＥＬディスプレイ（ＯＥＬＤ：organic electroluminescent display）等のパネルである。
【０００９】
また、本実施形態では、筐体３ａ内に、バッテリ１２０が収容されている。バッテリ１２０は、充電式電池（二次電池）であり、交流（ＡＣ：alternating current）等の外部電力によって充電される。このバッテリ１２０は、映像表示部１０６や制御回路を含む映像表示装置１の全体の電源となる電力を蓄える。なお、バッテリ１２０のスペック（配置や、形状、大きさ、取付構造等）は、図１の例には限定されず、種々に変更することが可能である。例えば、バッテリ１２０を、筐体３ａ内に収容せず、筐体３ａの外面に凹部等として形成されたバッテリ収容部に取り付けることができる。
【００１０】
また、映像表示装置１は、図２に例示されるように、チューナ１０２や、信号処理部１０３、映像処理部１０４、表示処理部１０５、映像表示部１０６、音声処理部１０７、スピーカ１０８等を備えている。
【００１１】
チューナ１０２は、アンテナ１０１で受信されたＢＳ、ＣＳ、地上波等のデジタル放送信号のうち、操作入力部としてのリモコン（リモートコントローラ）２０１等で指定されたチャンネルの信号を選局して受信する。信号処理部１０３は、受信した信号を復調するとともに、映像データ（ビデオデータ）と音声データ（オーディオデータ）に分離する。
【００１２】
音声処理部１０７は、音声データを処理して音声信号を生成し、スピーカ１０８は、音声信号に基づく音声を出力する。
【００１３】
映像処理部１０４は、映像データを処理して表示画面４（図１参照）のサイズに対応した映像信号を生成する。表示処理部１０５は、映像信号に文字や画像等の情報を重畳する。映像表示部１０６は、その表示画面４に、映像信号に基づく映像とともに、重畳された文字や画像等を表示する。
【００１４】
チューナ１０２や、信号処理部１０３、映像処理部１０４、表示処理部１０５、音声処理部１０７等は、バス等の通信ライン１０９を介して制御部１１０に接続されている。制御部１１０は、例えばＣＰＵ（central processing unit）として構成され、チューナ１０２や、信号処理部１０３、映像処理部１０４、表示処理部１０５、音声処理部１０７等の動作を制御する。
【００１５】
また、映像表示装置１は、制御部１１０の他、ＲＡＭ（random access memory）１１１や、ＲＯＭ（read only memory）１１２、ＮＶＲＡＭ（non-volatile RAM）１１３等を有しており、コンピュータとして機能する。制御部１１０は、ＲＯＭ１１２やＮＶＲＡＭ１１３等に予めインストールされ記憶された各種プログラムを実行し、映像表示装置１の各部の動作を制御する。ＲＯＭ１１２は、不揮発性の記憶デバイスであって、映像表示装置１の制御にかかるプログラムや各種設定情報等を書き換え不可能に記憶する。ＲＡＭ１１１は、揮発性の記憶デバイスであって、制御部１１０の作業領域等として機能し、各種の処理時において、スタックやバッファ等としての役割を果たす。また、ＮＶＲＡＭ１１３は、不揮発性の書き換え可能な記憶デバイスであって、例えば、表示処理部１０５で重畳する文字や画像の情報を記憶する。
【００１６】
さらに、映像表示装置１は、受光部１１４や、キーボード１１５、センサ１１６、ＵＳＢ（universal serial bus）コネクタ１１７、カードコネクタ１１８等を備えている。受信部としての受光部１１４は、リモコン２０１の操作入力に基づく信号（例えば赤外光）を受信して制御部１１０に送る。操作入力部としてのキーボード１１５は、操作入力に基づく信号を制御部１１０に送る。センサ１１６は、バッテリ１２０の電力として例えば電圧を検知する。ＵＳＢコネクタ１１７は、ＵＳＢ機器２０２が接続されるコネクタであり、制御部１１０とＵＳＢ機器２０２とを電気的に接続する。カードコネクタ１１８は、メディアカード２０３が接続されるコネクタであり、制御部１１０とメディアカード２０３とを電気的に接続する。なお、本実施形態にかかる映像表示装置１では、ＵＳＢ機器２０２やメディアカード２０３が有した文字や画像等の情報を受け取って、表示処理部１０５で映像信号に重畳することができる。すなわち、ＵＳＢ機器２０２やメディアカード２０３に格納された文字や画像等の情報を、表示画面４上に表示することができる。
【００１７】
図３に例示される電源回路１１９は、バッテリ１２０の充電や、充電をするか否かの切り換え、外部電力およびバッテリ１２０の電源の切り換え、主電源のオンオフの切り換え、局所的な電源のオンオフの切り換え等を実行する。本実施形態では、電源回路１１９は、ＡＣ／ＤＣ（direct current）コンバータ１１９ａや、充電切換部１１９ｂ、電源切換部１１９ｃ、電源供給切換部１１９ｄ，１１９ｅ等を有する。
【００１８】
ＡＣ／ＤＣコンバータ１１９ａは、外部電力としてのＡＣをＤＣに変換する。このＡＣ／ＤＣコンバータ１１９ａは、外部電力によってバッテリ１２０を充電する際には、充電部として機能する。充電切換部１１９ｂは、ＡＣ／ＤＣコンバータ１１９ａとバッテリ１２０との接続および遮断を切り換えて、バッテリ１２０を充電するか否かを切り換える。電源切換部１１９ｃは、映像表示装置１の各部の電源として、外部電力およびバッテリ１２０のうちいずれか一方を選択する。具体的には、電源切換部１１９ｃは、電源供給切換部１１９ｄ，１１９ｅに、ＡＣ／ＤＣコンバータ１１９ａおよびバッテリ１２０のうちいずれか一方を、択一的に接続する。また、電源供給切換部１１９ｄ，１１９ｅは、電源切換部１１９ｃと電源が供給される各部との間の接続および遮断を切り換える。本実施形態では、電源供給切換部１１９ｄが、制御部１１０等への電源の供給および遮断を切り換える一方、電源供給切換部１１９ｅが、映像表示部１０６への局所的な電源の供給および遮断を切り換える。
【００１９】
本実施形態では、充電切換部１１９ｂにおけるバッテリ１２０を充電するか否かの切り換え、電源切換部１１９ｃにおける電源の択一的な切り換え（選択）、および電源供給切換部１１９ｅにおける映像表示部１０６への電源の供給および遮断の切り換えは、制御部１１０が電気的に制御することができる。また、電源供給切換部１１９ｄにおける回路基板（図示せず）や制御部１１０等への電源（主電源）の供給および遮断の切り換えは、電源操作スイッチ（図示せず）等の操作に基づいて機械的に実行される。
【００２０】
電源供給切換部１１９ｅにおける映像表示部１０６への電源の供給および遮断の切り換えは、リモコン２０１に設けられた操作ボタン（図示せず）の電源のオン操作（供給させる操作）またはオフ操作（遮断させる操作）に対応する信号が受光部１１４で受光された際に、実行される。ユーザ（オペレータ）がリモコン２０１の操作ボタンで映像表示装置１の電源を遮断する操作を行った場合には、映像表示部１０６への電源電力の供給は遮断されるものの、制御部１１０や回路基板の各部等への電源電力の供給は遮断されない。すなわち、リモコン２０１の操作ボタンによる電源のオフ操作によって、映像表示装置１は、映像表示装置１の少なくとも映像表示部１０６を含む一部の電源が局所的に遮断された所謂スタンバイ状態となる。なお、電源供給切換部１１９ｅによって電源が局所的に遮断される部分には、少なくとも映像表示部１０６が含まれていれば良く、他のデバイス（例えばハードディスクドライブ等）が含まれてもよい。
【００２１】
そして、制御部１１０は、インストールされたプログラムを実行することで、図４に例示する機能部（例えば、電力検知部１１０ａや、充電制御部１１０ｂ、電源切換制御部１１０ｃ、局所電源制御部（電源制御部）１１０ｄ、表示制御部１１０ｅ、音声制御部１１０ｆ、計時部１１０ｇ等）として動作する。すなわち、プログラムには、制御部１１０を、電力検知部１１０ａや、充電制御部１１０ｂ、電源切換制御部１１０ｃ、局所電源制御部１１０ｄ、表示制御部１１０ｅ、音声制御部１１０ｆ、計時部１１０ｇ等として動作させるモジュールが含まれている。
【００２２】
上述した構成を備えた本実施形態にかかる映像表示装置１では、映像表示部１０６の動作中（映像を表示している間）は、バッテリ１２０の充電が実行されない。よって、バッテリ１２０の充電中に映像表示部１０６の動作によって筐体３ａ内の温度が上昇するのを抑制することができる。以下、図５〜９を参照して、外部電力で映像が表示されている際に、各種の情報の表示や、バッテリ１２０の充電等が実行される場合の映像表示装置１の動作の一例について説明する。
【００２３】
本実施形態にかかる映像表示装置１では、プラグ（図示せず）がコンセント（図示せず）に差し込まれるなどして、電源回路１１９に外部電力が供給されている状態（図示しないセンサで外部電力の供給が検知されている状態）では、映像表示部１０６の電源としては、外部電力が選択され、バッテリ１２０は選択されない。すなわち、この場合には、映像表示部１０６は外部電力を電源として動作して、映像を表示する（ステップＳ１）。このステップＳ１では、電源切換制御部１１０ｃとして動作する制御部１１０は、電源切換部１１９ｃを制御して、映像表示装置１の各部の電源として、外部電力を選択している。また、映像表示部１０６の表示画面４で映像が表示されている状態であるため、局所電源制御部１１０ｄとして動作する制御部１１０は、電源供給切換部１１９ｅを制御して、映像表示部１０６に電力を供給する。さらに、本実施形態では、上述したように、映像表示部１０６の動作中は、バッテリ１２０への充電は実行されない。よって、充電制御部１１０ｂとして動作する制御部１１０は、充電切換部１１９ｂを制御して、バッテリ１２０への充電を実行しない。
【００２４】
そして、本実施形態では、映像表示部１０６が外部電力を電源として動作している際に、バッテリ１２０の電力を監視する。すなわち、電力検知部１１０ａとして動作する制御部１１０は、バッテリ１２０の電力（例えば電圧）を検知するセンサ１１６から信号を受け取って、バッテリ１２０の電力（例えば電圧）の検知結果を得る（ステップＳ２）。
【００２５】
次に、制御部１１０は、検知結果（例えば電圧）を所定の閾値と比較する（ステップＳ３）。ステップＳ３により、バッテリ１２０の電力が所定の閾値と同じかあるいは閾値未満であることが判明した場合、すなわち、図５の例では、バッテリ１２０の電圧が所定値以下であることが判明した場合には（ステップＳ３でＹｅｓ）、表示制御部１１０ｅとして動作する制御部１１０は、表示処理部１０５を制御して、表示画面４で表示される映像信号に、注意情報またはリモコン２０１による電源遮断操作を促す情報を重畳する。なお、バッテリ１２０の電圧が所定値より大きい場合には、ステップＳ２に戻る。
【００２６】
図６は、映像Ｉｍ１とともに注意情報Ｉｍ３が表示された表示画面４の一例を示す。この図６の例では、注意情報Ｉｍ３が、表示画面４の周縁部（隅部）に、容量が少なくなった電池を模したデザイン（画像）として表示されている（ステップＳ４）。
【００２７】
図７は、映像Ｉｍ１とともに、注意情報Ｉｍ３，Ｉｍ４とリモコン２０１による電源遮断操作を促す情報Ｉｍ５とが表示された表示画面４上の一例を示す。この図７の例では、図６と同様の注意情報Ｉｍ３とともに、注意情報Ｉｍ４が、表示画面４内（本実施形態では下方）の枠内に、「バッテリ残量が不足しています。」という文字として表示されている。さらに、その枠内には、リモコン２０１による電源遮断操作を促す情報Ｉｍ５が、「リモコンの電源ボタンで電源を切り、バッテリを充電することをおすすめします。」という文字として表示されている（ステップＳ４）。また、図６，７の画像Ｉｍ２は、選局されたチャネル名や、番組名、時刻等を示す画像や文字である。
【００２８】
注意情報Ｉｍ３，Ｉｍ４やリモコン２０１による電源遮断操作を促す情報Ｉｍ５を見たユーザが、リモコン２０１で電源遮断操作を行った場合（ステップＳ５でＹｅｓ）、表示制御部１１０ｅとして動作する制御部１１０は、表示処理部１０５を制御して、表示画面４で表示される映像信号に、充電開始告知情報または第二の注意情報を重畳する。第二の注意情報は、外部電力の供給を遮断しないように注意する情報である。なお、この場合、表示制御部１１０ｅは、直前に表示していた映像（図６，７の映像Ｉｍ１等）の表示を停止し、例えば、青色や黒色等の単色の背景画像（背景映像）に、充電開始告知情報や第二の注意情報の画像や文字を重畳させることができる。この時点で映像を消すことで、充電開始告知情報や第二の注意情報を目立たせる効果がある。なお、ステップＳ４の後、リモコン２０１で電源遮断操作が行われなかった場合（ステップＳ５でＮｏ）、ステップＳ２に戻る。
【００２９】
図８は、表示画面４上に、充電開始告知情報Ｉｍ６と第二の注意情報Ｉｍ７とが表示された場合の一例を示す。この図８の例では、充電開始告知情報Ｉｍ６が、表示画面４内（本実施形態では下方）の枠内に、「バッテリの充電を開始します。」という文字として表示されている。さらに、その枠内には、第二の注意情報Ｉｍ７が、「電源プラグを抜かないでください。」という文字として表示されている（ステップＳ６）。
【００３０】
また、本実施形態では、充電開始告知情報Ｉｍ６や第二の注意情報Ｉｍ７は、映像表示部１０６の電源が遮断される前の所定時間（例えば６秒）、表示される。すなわち、計時部１１０ｇとして動作する制御部１１０は、充電開始告知情報Ｉｍ６や第二の注意情報Ｉｍ７の表示を開始してからの経過時間を計測する。そして、所定時間が経過した時点で（ステップＳ７でＹｅｓ）、局所電源制御部１１０ｄとして動作する制御部１１０が、電源供給切換部１１９ｅを制御して、映像表示部１０６の電源を遮断する（ステップＳ８）。このステップＳ８によって、図９に示すように、表示画面４上の表示が無くなる。
【００３１】
次いで、充電制御部１１０ｂとして動作する制御部１１０が、充電切換部１１９ｂを制御して、外部電力によるバッテリ１２０の充電を実行する（ステップＳ９）。
【００３２】
なお、ステップＳ５以降のフローは、ステップＳ４の後でない場合、すなわち、注意情報Ｉｍ３，Ｉｍ４や電源遮断操作を促す情報Ｉｍ５を見ることなく、ユーザが、リモコン２０１で電源遮断操作を行った場合にも、同様に実行される。
【００３３】
以上のように、本実施形態にかかる映像表示装置１は、映像表示部１０６が外部電力によって動作している際に、注意情報Ｉｍ３，４を表示することで、ユーザに、バッテリ１２０の電力不足を認識させやすくなり、バッテリ１２０の充電を促進することができる。これにより、停電等の原因で外部電力の供給が停止した際にバッテリ１２０の電力が不足していて映像が見られない、という事態を回避しやすくなる。
【００３４】
また、本実施形態にかかる映像表示装置１は、映像表示部１０６が外部電力によって動作している際に、操作入力部としてのリモコン２０１の操作ボタンによる電源の遮断を促進する情報Ｉｍ５を表示することで、ユーザに、バッテリ１２０を充電させるための電源の遮断操作を行わせやすくなる。これにより、停電等の原因で外部電力の供給が停止した際にバッテリ１２０の電力が不足していて映像が見られない、という事態をより一層回避しやすくなる。
【００３５】
また、本実施形態にかかる映像表示装置１は、バッテリ１２０を充電させるための電源の遮断操作が行われる前に、第二の注意情報Ｉｍ７を表示することで、ユーザが電源プラグを抜いてバッテリ１２０が充電されなくなる事態を回避しやすくなる。
【００３６】
以上、本発明の好適な実施形態について説明したが、本発明は上記実施形態には限定されず、種々の変形が可能である。例えば、所定の情報、すなわち、バッテリの電力が不十分であることを示す情報や、映像表示部の電源を遮断させる操作入力部の操作を促す情報、バッテリの充電を開始する旨を示す情報、外部電力の供給を遮断しないように注意する情報は、上記実施形態には限定されず、他の形態（文字、静止画、動画等）とすることができる。また、所定の情報として、バッテリの電力が十分であること（すなわち、バッテリ駆動が可能であること）を示す情報を表示することができる。また、所定の情報を、音声として出力することも可能である。また、映像表示部の電源を遮断させる操作入力部は、リモコンに限らず、映像表示装置の本体部に設けてもよい。また、本発明は、映像表示部を有さず、映像表示部を有した映像表示装置に接続されて、当該映像表示装置を制御する、電力検知部、充電制御部、表示制御部等を有した映像表示制御装置として実施することができる。また、映像表示装置、バッテリ、電源回路、リモコン等の各部のスペック（構造や、形状、大きさ、長さ、幅、厚さ、高さ、数、配置、位置等）は、適宜変更して実施することができる。
【００３７】
本発明の実施形態によれば、バッテリの充電に関する不都合がより生じにくい映像表示制御装置、映像表示装置、および映像表示制御方法を得ることができる。
【符号の説明】
【００３８】
１…映像表示装置（映像表示制御装置）、３ａ…筐体、４…表示画面、１０６…映像表示部、１１０ａ…電力検知部、１１０ｂ…充電制御部、１１０ｅ…表示制御部、１１６…センサ、１１９ａ…ＡＣ／ＤＣコンバータ（充電部）、１１９ｂ…充電切換部、１２０…バッテリ、２０１…リモコン（操作入力部）、Ｉｍ３，Ｉｍ４…注意情報（バッテリの電力が不十分であることを示す情報）、Ｉｍ５…リモコンによる電源遮断操作を促す情報（映像表示部の電源を遮断させる操作入力部の操作を促す情報）、Ｉｍ６…充電開始告知情報（バッテリの充電を開始する旨を示す情報）、Ｉｍ７…第二の注意情報（外部電力の供給を遮断しないように注意する情報）。
【図１】
2012130194.tif 000003
【図２】
2012130194.tif 000004
【図３】
2012130194.tif 000005
【図４】
2012130194.tif 000006
【図５】
2012130194.tif 000007
【図６】
2012130194.tif 000008
【図７】
2012130194.tif 000009
【図８】
2012130194.tif 000010
【図９】
2012130194.tif 000011
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
映像を表示する表示画面を有した映像表示部の電源となる電力を蓄えるバッテリの電力の検知結果を得る電力検知部と、
前記映像表示部の電源が投入されている状態では外部電力による前記バッテリの充電が行われず、前記映像表示部の電源が遮断されている状態で外部電力による前記バッテリの充電が行われるよう、前記バッテリの充電を制御する充電制御部と、
操作入力部の所定の操作に基づいて前記映像表示部の電源の投入および遮断を制御する電源制御部と、
前記検知結果が前記バッテリの電力が所定値と同じかあるいは前記所定値未満となったことを示すとともに前記映像表示部の電源が前記バッテリではなく外部電力である場合に、前記映像表示部の電源を遮断させる前記操作入力部の操作を促す情報を前記表示画面に表示させる表示制御部と、
を備えた映像表示制御装置。
【請求項２】
前記表示制御部は、前記検知結果が前記バッテリの電力が所定値と同じかあるいは前記所定値未満となったことを示すとともに前記映像表示部の電源が前記バッテリではなく外部電力である場合に、さらに、電源プラグを抜かないよう注意する情報を前記表示画面に表示させる、請求項１に記載の映像表示制御装置。
【請求項３】
前記表示制御部は、前記検知結果が前記バッテリの電力が所定値と同じかあるいは前記所定値未満となったことを示すとともに前記映像表示部の電源が前記バッテリではなく外部電力である場合に、さらに、前記バッテリの電力が不十分であることを示す情報を前記表示画面に表示させる、請求項１または２に記載の映像表示制御装置。
【請求項４】
前記表示制御部は、前記操作入力部の所定の操作に基づく前記電源制御部の制御によって前記映像表示部の電源が遮断される前に、前記表示画面に、前記バッテリの充電を開始する旨を示す情報を表示させる請求項１〜３のうちいずれか一つに記載の映像表示制御装置。
【請求項５】
前記表示制御部は、前記操作入力部の所定の操作に基づく前記電源制御部の制御によって前記映像表示部の電源が遮断される前に、前記表示画面に、外部電力の供給を遮断しないように注意する情報を表示させる請求項１〜４のうちいずれか一つに記載の映像表示制御装置。
【請求項６】
映像を表示する表示画面を有した映像表示部と、
前記映像表示部の電源となる電力を蓄えるバッテリの電力を検知するセンサと、
前記センサによる検知結果を得る電力検知部と、
供給された外部電力によって前記バッテリを充電する充電部と、
前記充電部が前記バッテリに充電するか否かを切り換える充電切換部と、
前記映像表示部の電源が投入されている状態では前記充電部による前記バッテリの充電が行われず、前記映像表示部の電源が遮断されている状態で前記充電部による前記バッテリの充電が行われるよう、前記充電切換部を制御する充電制御部と、
操作入力部の所定の操作に基づいて前記映像表示部の電源の投入および遮断を制御する電源制御部と、
前記検知結果が前記バッテリの電力が所定値と同じかあるいは前記所定値未満となったことを示すとともに前記映像表示部の電源が前記バッテリではなく外部電力である場合に、前記映像表示部の電源を遮断させる前記操作入力部の操作を促す情報を前記表示画面に表示させる表示制御部と、
を備えた映像表示装置。
【請求項７】
前記表示画面を露出させる開口部が設けられ、前記映像表示部を収容した筐体をさらに備え、
前記バッテリが前記筐体に一体的に設けられたことを特徴とする請求項６に記載の映像表示装置。
【請求項８】
映像を表示する表示画面を有した映像表示部の電源となる電力を蓄えるバッテリの電力の検知結果を得る電力検知部と、
前記映像表示部の電源が遮断されている状態で外部電力による前記バッテリの充電が行われるよう、前記バッテリの充電を制御する充電制御部と、
操作入力部の所定の操作に基づいて前記映像表示部の電源の投入および遮断を制御する電源制御部と、
前記検知結果が前記バッテリの電力が所定値と同じかあるいは前記所定値未満となった場合に、前記映像表示部の電源を遮断させる前記操作入力部の操作を促す情報を前記表示画面に表示させる表示制御部と、
を備えた映像表示制御装置。
【請求項９】
映像を表示する表示画面を有した映像表示部の電源となる電力を蓄えるバッテリの電力を検知するステップと、
前記映像表示部の電源が投入されている状態では外部電力による前記バッテリの充電を行わず、前記映像表示部の電源が遮断されている状態で外部電力による前記バッテリの充電を行うよう、前記バッテリに対する充電を切り換えるステップと、
操作入力部の所定の操作に基づいて前記映像表示部の電源の投入および遮断を制御するステップと、
前記バッテリの電力を検知するステップで前記バッテリの電力が所定値と同じかあるいは前記所定値未満となったことが検知されるとともに、前記映像表示部の電源が前記バッテリではなく外部電力である場合に、前記映像表示部の電源を遮断させる前記操作入力部の操作を促す情報を前記表示画面に表示させるステップと、
を備えた映像表示制御方法。
【手続補正２】
【補正対象書類名】明細書
【補正対象項目名】０００６
【補正方法】変更
【補正の内容】
【０００６】
本発明の実施形態にかかる映像表示制御装置は、映像を表示する表示画面を有した映像表示部の電源となる電力を蓄えるバッテリの電力の検知結果を得る電力検知部を備える。また、映像表示制御装置は、前記映像表示部の電源が投入されている状態では外部電力による前記バッテリの充電が行われず、前記映像表示部の電源が遮断されている状態で外部電力による前記バッテリの充電が行われるよう、前記バッテリの充電を制御する充電制御部を備える。また、映像表示制御装置は、操作入力部の所定の操作に基づいて前記映像表示部の電源の投入および遮断を制御する電源制御部を備える。さらに、映像表示制御装置は、前記検知結果が前記バッテリの電力が所定値と同じかあるいは前記所定値未満となったことを示すとともに前記映像表示部の電源が前記バッテリではなく外部電力である場合に、前記映像表示部の電源を遮断させる前記操作入力部の操作を促す情報を前記表示画面に表示させる表示制御部を備える。